(57)【要約】 【課題】本発明は、表示パネルより大きい面積の映像を表示する映像表示装置及びこれを利用した映像表示方法に関する。【解決手段】本発明は、多数の映像を表示する表示パネルと；前記表示パネルの正面に配置されて、前記多数の映像に対応する多数の視界を生成する視界生成部と；前記表示パネルの一端に配置されて、前記多数の映像のうちの第１映像を、前記多数の映像のうちの第２映像と同一な視界に反射させる第１反射部とを含む映像表示装置及び映像表示方法を提供する。【選択図】図４
2008003553.tif 000002
【特許請求の範囲】
【請求項１】
多数の映像を表示する表示パネルと；
前記表示パネルの正面に配置されて、前記多数の映像に対応する多数の視界を生成する視界生成部と；
前記表示パネルの一端に配置されて、前記多数の映像のうちの第１映像を、前記多数の映像のうちの第２映像と同一な視界に反射させる第１反射部とを含むことを特徴とする映像表示装置。
【請求項２】
前記表示パネルの他一端に配置されて、前記多数の映像のうちの第３映像を前記第２映像と同一な視界に反射させる第２反射部をさらに含むことを特徴とする請求項１に記載の映像表示装置。
【請求項３】
前記視界生成部は、パララックスバリアまたはレンティキュラアレイである
ことを特徴とする請求項１または２のいずれかに記載の映像表示装置。
【請求項４】
前記表示パネルは、液晶表示装置、電界発光表示装置、プラズマ表示装置、電気発光表示装置のいずれかであることを特徴とする請求項１または２のいずれかに記載の映像表示装置。
【請求項５】
前記表示パネルがバックライトアセンブリと液晶表示パネルを含む液晶表示装置であり、前記視界生成部は、パララックスバリアであって、前記パララックスバリアは、前記バックライトアセンブリと前記液晶表示パネル間に配置されたり、前記液晶表示パネル前面に配置されたりすることを特徴とする請求項１または２のいずれかに記載の映像表示装置。
【請求項６】
前記表示パネルと前記第１反射部が成す角は、８０°〜１００°間の値であることを特徴とする請求項１に記載の映像表示装置。
【請求項７】
前記表示パネルは、順に反復配列されて、前記第１及び第２映像を各々表示する第１及び第２映像画素を含むことを特徴とする請求項１に記載の映像表示装置。
【請求項８】
前記第１及び第２映像は、各々一つの映像を２等分した第１及び第２部分映像であって、前記多数の視界は、前記第１及び第２部分映像に各々対応する第１及び第２視界であることを特徴とする請求項１に記載の映像表示装置。
【請求項９】
前記第１及び第２部分映像は、前記第２視界で合成され前記一つの映像を表示して、合成された前記第１及び第２部分映像が表示される面積は、前記表示パネルの２倍であることを特徴とする請求項８に記載の映像表示装置。
【請求項１０】
前記表示パネルと前記第１及び第２反射部が成す角は、各々８０°〜１００°間の値であることを特徴とする請求項２に記載の映像表示装置。
【請求項１１】
前記表示パネルは、順に反復配列されて、前記第１、第２、第３映像を各々表示する第１、第２、第３映像画素を含むことを特徴とする請求項２に記載の映像表示装置。
【請求項１２】
前記第１、第２、第３映像は、各々一つの映像を３つに区分した第１、第２、第３部分映像であって、前記多数の視界は、前記第１、第２、第３部分映像に各々対応する第１、第２、第３視界であることを特徴とする請求項２に記載の映像表示装置。
【請求項１３】
前記第１、第２、第３部分映像は、各々一つの映像を縦に３等分した右側、中央、左側部分映像であって、前記第１、第２、第３部分映像は、前記第２視界で合成され前記一つの映像を表示して、合成された前記第１、第２、第３部分映像が表示される面積は、前記表示パネルの３倍であることを特徴とする請求項１２に記載の映像表示装置。
【請求項１４】
前記第１、第２、第３部分映像は、各々一つの映像を縦に３つに区分した右側、中央、左側部分映像であり、前記中央部分映像の幅は、前記右側、左側部分映像の幅の２倍であって、前記第１、第２、第３部分映像は、前記第２視界で合成され前記一つの映像を表示して、合成された前記第１、第２、第３部分映像が表示される面積は、前記表示パネルの２倍であることを特徴とする請求項１２に記載の映像表示装置。
【請求項１５】
一つの映像を多数の部分映像に分割する段階と；
前記多数の部分映像を表示パネルの順に反復配列される多数の映像画素によって表示する段階を含むことを特徴とする映像表示方法。
【請求項１６】
前記多数の部分映像のうちの第１部分映像を反射する段階と；
前記表示パネルより大きい面積で前記一つの映像が表示されるように前記反射された第１部分映像と前記多数の部分映像のうちの残りの部分映像を合成する段階をさらに含むことを特徴とする請求項１５に記載の映像表示方法。
【発明の詳細な説明】
【技術分野】
【０００１】
本発明は、映像表示装置(image display device)及びこれを利用した映像表示方法に係り、表示パネルより大きい面積の映像を表示する映像表示装置及びこれを利用した映像表示方法に関する。
【背景技術】
【０００２】
映像を表示する映像表示装置は、映像が直接表示される表示パネルとこれを動作する駆動部を含み、表示パネルには、２次元行列形態の多数の画素が形成されている。このような映像表示装置は、各画素で表示される単位映像信号を総合して一つの画面を表示する。
【０００３】
映像表示装置では、表示パネルの法線からの角が視野角で定義されるが、映像表示装置の種類によって映像が表示される視野角が上下左右９０°以下に制限される場合もある。特に、液晶表示装置の場合、表示パネルに形成された液晶層を通過した光を利用して映像を表示するが、視野角によって液晶層を通過した光の経路が異なるので、特定視野角以上では、望む映像とは異なる映像が表示される。
【０００４】
このような視野角における制限は、一般的には、映像表示装置の短所として作用するが、これを適切に利用して映像表示装置の長所として活用することもできる。例えば、銀行のＡＴＭの画面のような特定用途には、視野角が制限され使用者以外の周辺人に画面が見えないようにした方が良いので、視野角をさらに縮めて使用する。
【０００５】
一方、表示パネルと使用者との間に、位置別に障壁を構成して、視野角によって障壁間に見える画素が異なる映像表示装置も紹介されている。このような映像表示装置では、視野角によって映像を表示する画素が異なり、視野角によって相互に異なる視界(viewing zone)を形成する。すなわち、相互に異なる視界に寄与する画素は相互に異なり、この画素で相互に異なる映像信号を表示することによって、相互に異なる視界において相互に異なる映像が表示される。
【０００６】
このような障壁方式の映像表示装置は、３次元表示(３-Dimension Display)に活用されたりもするが、一般的な３次元映像(または立体映像)は、両眼のステレオ(stereo)視覚原理による。
【０００７】
６５ｍｍ程度離れて存在する両面間の間隔による両眼視差(binocular parallax)は、立体感を感じさせる重要な要因であって、左右の眼が各々に関連した平面映像を見る場合、脳は、これら相互に異なる二つの映像を融合して３次元映像本来の深みと実在感を再生することができる。
【０００８】
このような３次元表示は、ステレオスコピック(stereoscopic)方式、容量分析 (volumetric)方式、ホログラフィック方式に区分されて、ステレオスコピック方式は、さらにメガネ式と無メガネ式に区分される。
【０００９】
無メガネ式のステレオスコピック方式の３次元表示方法のうち、左/右眼用ステレオ映像(stereo image)を分離表示して観察者に３次元の立体感を感じさせるパララックスバリア(parallax barrier)方式及びレンティキュラ方式が脚光を浴びている。
【００１０】
このようなパララックスバリア方式の３次元映像表示装置とレンティキュラ方式の３次元映像表示装置の３次元映像具現原理を簡単に説明すると、左/右眼用ステレオ映像を同時に表示する表示パネルと使用者間に、ストライプ状のスリットとバリアを配置したり、多数の半円筒状のレンティキュラレンズを配置して観察者に立体感を感じさせる方式であって、これを図を参照して、詳細に説明する。
【００１１】
図１及び図２は、各々一般のパララックスバリア方式の映像表示装置及び一般のレンティキュラ方式の映像表示装置の動作を説明するための平面図である。便宜上、図１及び図２で同一な部分は、同一符号で説明する。
【００１２】
図１に示したように、パララックスバリア方式の映像表示装置１０は、左右映像を同時に表示する表示パネル２０とパララックスバリア３０で構成される。
【００１３】
表示パネル２０には、左眼用映像を表示する左眼画素Ｌと右眼用映像を表示する右眼画素Ｒが交互に定義されており、パララックスバリア３０は、表示パネル２０と使用者４０間に配置される。パララックスバリア３０には、左/右眼画素Ｌ、Ｒから出射される光を各々選択的に通過させるスリット３２とバリア３４が使用者４０に対して縦の方向に向うストライプ状に反復配列されている。
【００１４】
これによって、表示パネル２０の左眼画素Ｌに表示される左眼映像ＩＬは、パララックスバリア３０のスリット３２を通過して使用者４０の左眼に到達されて、表示パネル２０の右眼画素Ｒに表示される右眼映像ＩＲは、パララックスバリア３０のスリット３２を通過して使用者４０の右眼に到達されるが、この時、左/右眼映像ＩＬ、ＩＲは、各々人間が感知できる視差を考慮した別々の映像を収めており、使用者４０は、この二つの映像を結合して３次元立体映像を認識する。
【００１５】
この時、表示パネル２０に形成された左/右眼画素Ｌ、Ｒの幅Ｐ、パララックスバリア３０のスリット３２の幅Ｐ１、パララックスバリア３０のバリア３４の幅Ｐ２、左/右眼の幅Ｅ間には、次のような関係式が成立する。
Ｐ１+Ｐ２＝２/(１/Ｅ+１/Ｐ)
【００１６】
前述したように、左/右眼の間隔Ｅは、約６５ｍｍ程度なので、このような左/右眼間隔Ｅの値と、上の関係式を利用して左/右眼画素Ｌ、Ｒの幅Ｐ、スリット３２の幅Ｐ１、バリア３４の幅Ｐ２を設計することによってパララックスバリア方式の３次元映像表示装置と３次元映像を具現することができる。
【００１７】
一方、図２に示したように、レンティキュラ方式の映像表示装置１５は、左右映像を同時に表示する表示パネル２０とレンティキュラアレイ５０で構成される。
【００１８】
表示パネル２０には、左眼用映像を表示する左眼画素Ｌと右眼用映像を表示する右眼画素Ｒが交互に定義されており、レンティキュラアレイ５０は、表示パネル２０と使用者４０間に配置される。レンティキュラアレイ５０には、左/右眼画素Ｌ、Ｒから出射される光を各々選択的に屈折させる半円筒状の多数のレンティキュラレンズ５２が使用者４０に対して縦の方向に向うストライプ状で連続的に配列されている。
【００１９】
これによって、表示パネル２０の左眼画素Ｌに表示される左眼映像ＩＬは、レンティキュラアレイ５０のレンティキュラレンズ５２を通過して使用者４０の左眼に到達されて、表示パネル２０の右眼画素Ｒに表示される右眼映像ＩＲは、レンティキュラアレイ５０のレンティキュラレンズ５２を通過して使用者４０の右眼に到達されるが、この時、左/右眼映像ＩＬ、ＩＲは、各々人間が感知できる視差を考慮した別々の映像を収めており、使用者４０は、この二つの映像を結合して３次元立体映像を認識する。
【００２０】
この場合も、左/右眼間隔Ｅを考慮して左/右眼画素Ｌ、Ｒの幅Ｐとレンティキュラレンズ５２の幅及び球面半径を設計することによってレンティキュラ方式の映像表示装置と３次元映像を具現することができる。
【００２１】
ところで、一般のパララックスバリア方式の映像表示装置及びレンティキュラ方式の映像表示装置の場合、パララックスバリアまたはレンティキュラアレイを利用して二つの視界(viewing zone)を形成して、これを利用して３次元映像を具現するが、その３次元映像の大きさは、表示パネル２０の大きさで限定される短所がある。
【発明の開示】
【発明が解決しようとする課題】
【００２２】
本発明は、前述したような問題を解決するために案出されており、表示パネル自体の大きさは拡大しないながらも、表示される映像の大きさは拡大される映像表示装置及びこのような映像表示装置を利用した映像表示方法を提示することを目的とする。
【課題を解決するための手段】
【００２３】
本発明は、前述したような目的を達成するために、多数の映像を表示する表示パネルと；前記表示パネルの正面に配置されて、前記多数の映像に対応する多数の視界を生成する視界生成部と；前記表示パネルの一端に配置されて、前記多数の映像のうちの第１映像を、前記多数の映像のうちの第２映像と同一な視界に反射させる第１反射部とを含むことを特徴とする映像表示装置を提供する。
【００２４】
前記映像表示装置は、前記表示パネルの他一端に配置されて、前記多数の映像のうちの第３映像を前記第２映像と同一な視界に反射させる第２反射部をさらに含み、前記視界生成部は、パララックスバリアまたはレンティキュラアレイである。
【００２５】
前記表示パネルは、液晶表示装置、電界発光表示装置、プラズマ表示装置、電気発光表示装置のいずれかであって、特に、前記表示パネルがバックライトアセンブリと液晶表示パネルを含む液晶表示装置であって、前記視界生成部は、パララックスバリアの場合、前記パララックスバリアは、前記バックライトアセンブリと前記液晶表示パネル間に配置されたり、前記液晶表示パネル前面に配置されたりする。
【００２６】
前記表示パネルと前記第１反射部が成す角は、８０°〜１００°間の値である。
【００２７】
また、前記表示パネルは、順に反復配列されて、前記第１及び第２映像を各々表示する第１及び第２映像画素を含み、前記第１及び第２映像は、各々一つの映像を２等分した第１及び第２部分映像であって、前記多数の視界は、前記第１及び第２部分映像に各々対応する第１及び第２視界である。
【００２８】
さらに、前記第１及び第２部分映像は、前記第２視界で合成され前記一つの映像を表示して、合成された前記第１及び第２部分映像が表示される面積は、前記表示パネルの２倍である。
【００２９】
一方、前記表示パネルと前記第１及び第２反射部が成す角は、各々８０°〜１００°間の値であって、前記表示パネルは、順に反復配列されて、前記第１、第２、第３映像を各々表示する第１、第２、第３映像画素を含む。
【００３０】
前記第１、第２、第３映像は、各々一つの映像を３つに区分した第１、第２、第３部分映像であって、前記多数の視界は、前記第１、第２、第３部分映像に各々対応する第１、第２、第３視界である。また、前記第１、第２、第３部分映像は、各々一つの映像を縦に３等分した右側、中央、左側部分映像であって、前記第１、第２、第３部分映像は、前記第２視界で合成され前記一つの映像を表示して、合成された前記第１、第２、第３部分映像が表示される面積は、前記表示パネルの３倍である。
【００３１】
或いは、前記第１、第２、第３部分映像は、各々一つの映像を縦に３つに区分した右側、中央、左側部分映像であり、前記中央部分映像の幅は、前記右側、左側部分映像の幅の２倍であって、前記第１、第２、第３部分映像は、前記第２視界で合成され前記一つの映像を表示して、合成された前記第１、第２、第３部分映像が表示される面積は、前記表示パネルの２倍である。
【００３２】
他の一方、本発明は、一つの映像を多数の部分映像に分割する段階と；前記多数の部分映像を表示パネルの順に反復配列される多数の映像画素によって表示する段階を含むことを特徴とする映像表示方法を提供する。
【００３３】
また、前記映像表示方法は、前記多数の部分映像のうちの第１部分映像を反射する段階と；前記表示パネルより大きい面積で前記一つの映像が表示されるように前記反射された第１部分映像と前記多数の部分映像のうちの残りの部分映像を合成する段階をさらに含む。
【００３４】
以下、図を参照して、本発明をより詳しく説明する。
【発明の効果】
【００３５】
本発明による映像表示装置は、表示パネルと視界生成部を利用して多数の視界を形成して、一部視界に表示される映像を、反射部を利用して残りの一部視界と同一な視界に集めることによって表示パネルより拡大された面積に一つの映像を表示させる長所がある。この時、一つの映像が表示される領域は、表示パネルを視界分布方向に拡大した領域に対応する。
【実施例１】
【００３６】
図３は、本発明の実施例１による映像表示装置の表示パネル及び視界生成部の動作を説明するための平面図である。
図３に示したように、パララックスバリア方式の映像表示装置は、三つの相互に異なる映像を同時に表示する表示パネル１２０と視界生成部１３０を含む。
【００３７】
表示パネル１２０には、第１、第２、第３映像を各々表示する第１、第２、第３映像画素ＰＩＭ１、ＰＩＭ２、ＰＩＭ３が順に反復配列されており、視界生成部１３０で使用されるパララックスバリアは、表示パネル１２０の正面に配置され第１、第２、第３視界ＶＺ１、ＶＺ２、ＶＺ３を形成する。
【００３８】
第１、第２、第３映像は、一つの映像を分割した部分映像で構成するが、例えば、一つの映像を３等分して左側、中央、右側部分映像を得た後、中央部分映像は、第２映像に割り当てられて、左右部分映像は、各々第３、１映像に割り当てられる。
【００３９】
パララックスバリア１３０には、第１、第２、第３映像画素ＰＩＭ１、ＰＩＭ２、ＰＩＭ３から出射される光を各々選択的に通過させるスリット１３２とバリア１３４が正面から表示パネル１２０を見る時、縦の方向に向うストライプ状で反復配列される。
【００４０】
これによって、表示パネル１２０の第１映像画素ＰＩＭ１に表示される第１映像Ｉ１は、視界生成部１３０であるパララックスバリアのスリット１３２を通過して第１視界ＶＺ１を形成して、表示パネル１２０の第２映像画素ＰＩＭ２に表示される第２映像Ｉ２は、視界生成部１３０であるパララックスバリアのスリット１３２を通過して第２視界ＶＺ２を形成し、表示パネル１２０の第３映像画素ＰＩＭ３に表示される第３映像Ｉ３は、視界生成部１３０であるパララックスバリアのスリット１３２を通過して第３視界ＶＺ３を形成する。
【００４１】
この時、表示パネル１２０に形成された第１、第２、第３映像画素ＰＩＭ１、ＰＩＭ２、ＰＩＭ３各々の幅Ｐ、視界生成部１３０であるパララックスバリアのスリット１３２の幅Ｐ１、視界生成部１３０であるパララックスバリアの幅Ｐ２、第１、第２、第３視界ＶＺ１、ＶＺ２、ＶＺ３間の間隔Ｅ間には、次のような関係式が成立する。
Ｐ１+Ｐ２＝３/(１/Ｅ+１/Ｐ)
【００４２】
従って、上の関係式を利用して第１、第２、第３映像画素ＰＩＭ１、ＰＩＭ２、ＰＩＭ３各々の幅Ｐ、視界生成部１３０であるパララックスバリアのスリット１３２の幅Ｐ１、視界生成部１３０であるパララックスバリアのバリア１３４の幅Ｐ２、第１、第２、第３視界ＶＺ１、ＶＺ２、ＶＺ３間の間隔Ｅを適切に設計することによって表示パネル１０と視界生成部１３０を具現することができる。
【００４３】
すなわち、本発明による映像表示装置の表示パネル１２０と視界生成部１３０は、相互に異なる第１、第２、第３映像Ｉ１、Ｉ２、Ｉ３を相互に異なる視野角で表示する三つの第１、第２、第３視界ＶＺ１、ＶＺ２、ＶＺ３を形成する。
【００４４】
このような表示パネル１２０と視界生成部１３０を含む映像表示装置を、図を参照して説明する。
【００４５】
図４は、本発明の実施例１による映像表示装置を上部から見た断面図である。
図４に示したように、本発明の実施例１による映像表示装置１１０は、表示パネル１２０、視界生成部１３０、第１反射部Ｍ１及び第２反射部Ｍ２を含む。
【００４６】
表示パネル１２０には、第１、第２、第３映像Ｉ１、Ｉ２、Ｉ３を各々表示する第１、第２、第３映像画素ＰＩＭ１、ＰＩＭ２、ＰＩＭ３が順に反復配列されており、視界生成部１３０として使用されるパララックスバリアは、表示パネル１２０の正面に配置される。
【００４７】
従って、表示パネル１２０と視界生成部１３０であるパララックスバリアは、図３で説明したように、相互に異なる第１、第２、第３映像Ｉ１、Ｉ２、Ｉ３を相互に異なる視野角で表示して三つの第１、第２、第３視界ＶＺ１、ＶＺ２、ＶＺ３を形成する。
【００４８】
この時、第１視界ＶＺ１及び第３視界ＶＺ３の方向には、表示パネル１２０と一定な角θを成して表示パネル１２０の両端に各々第１反射部Ｍ１及び第２反射部Ｍ２が配置される。ここで、角θは、８０°ないし１００°範囲の値を有して、望ましくは、９０°の値を有する。また、第１反射部Ｍ１及び第２反射部Ｍ２は、反射率の高い物質で形成されて、例えば、鏡を利用することができる。
【００４９】
従って、表示パネル１２０が表示した映像のうちの第２映像Ｉ２は、反射なしに直進して第２視界ＶＺ２に到逹する一方、第１映像Ｉ１及び第３映像Ｉ３は、各々の視界である第１視界ＶＺ１及び第３視界ＶＺ３に到逹できずに各々第１反射部Ｍ１及び第２反射部Ｍ２から反射され第２視界ＶＺ２に伝達する。
【００５０】
それによって、第２視界ＶＺ２に位置した使用者１４０は、第１、第２、第３映像Ｉ１、Ｉ２、Ｉ３を全て見られるが、使用者１４０の立場では、第１反射部Ｍ１から反射された第１映像Ｉ１は、第１反射部Ｍ１の裏手の表示パネル１２０の右側の延長線上に位置する第１仮想表示パネル１２０ａに第１映像Ｉ１が表示されていると認識する。また、第２反射部Ｍ２から反射された第３映像Ｉ３は、第２反射部Ｍ２の裏手の表示パネル１２０の左側の延長線上に位置する第２仮想表示パネル１２０ｂに第３映像Ｉ３が表示されていると認識する。
第１仮想表示パネル１２０ａ及び第２仮想表示パネル１２０ｂは、各々表示パネル１２０と実質的に同一な幅を有する。
【００５１】
従って、使用者１４０は、第１仮想表示パネル１２０ａ、表示パネル１２０、第２仮想表示パネル１２０ｂに各々表示された第１、第２、第３映像Ｉ１、Ｉ２、Ｉ３を見ていると認識する。
【００５２】
この時、第１、第２、第３映像Ｉ１、Ｉ２、Ｉ３を、図３で説明したように、一つの映像が分割した部分映像で構成できるが、例えば、一つの映像を３等分して左側、中央、右側部分映像を得た後、中央部分映像は、第２映像に割り当てられて、左側及び右側部分映像は、各々第３映像、第１映像に割り当てられる。
【００５３】
この場合、使用者１４０は、第１、第２、第３映像Ｉ１、Ｉ２、Ｉ３を結合して一つの映像として認識するが、第１映像Ｉ１及び第３映像Ｉ３が一つの選択された映像の右側及び左側部分映像であって、第２映像Ｉ２が一つの選択された映像の中央部分映像であるので、結論的には、使用者１４０は、一つの選択された映像が表示パネル１２０と第１仮想表示パネル１２０ａ及び第２仮想表示パネル１２０ｂを合わせた拡大されたパネルに表示されていると認識する。
【００５４】
前述したように、第１仮想表示パネル１２０ａ及び第２仮想表示パネル１２０ｂは、各々表示パネル１２０と実質的に同一な幅を有するので、拡大されたパネルは、表示パネル１２０より実質的に３倍拡大された幅を有して、使用者１４０は、正面から見た時、横の方向に３倍拡大された映像を見ることになる。
【００５５】
図５は、本発明の実施例１による映像表示装置に表示される映像を使用者の立場で見た写真である。
図５に示したように、使用者は、第１、第２、第３映像Ｉ１、Ｉ２、Ｉ３を結合して一つの映像として認識する。
【００５６】
表示パネル(図４の１２０)が第１幅Ｗ１を有するとする時、結合された一つの映像が有する第２幅Ｗ２は、第１幅Ｗ１の３倍(Ｗ２＝３Ｗ１)に拡大されて、使用者は、拡大された映像を認識する。
【００５７】
従って、本発明の実施例１による映像表示装置では、表示パネル、視界生成部、第１及び第２反射部を利用して表示パネルの大きさより拡大された映像を表示することができる。
【００５８】
また、図面には示してないが、実施例１に視界生成部として使用されたパララックスバリアの代わりに、レンティキュラアレイを利用して視界生成部を構成することもできる。
【００５９】
すなわち、表示パネルと、表示パネルの正面に配置され視界生成部として使用されるレンティキュラアレイと、表示パネルの左側及び右側に一定な角を有する第１及び第２反射部を配置して映像表示装置を構成する場合にも、相互に異なる三つの視界を形成して、このような相互に異なる視界に表示される相互に異なる第１、第２、第３映像のうち、第１及び第３映像が第１及び第２反射部から反射されて第２視界に位置する使用者に到逹して、使用者は、第１、第２、第３映像を合わせて拡大された一つの映像として認識する。
【実施例２】
【００６０】
図６は、本発明の実施例２による映像表示装置を上部から見た断面図である。
図６に示したように、本発明の実施例２による映像表示装置２１０は、表示パネル２２０、表示パネルの正面の視界生成部２３０、表示パネル２２０と一定な角θを成して表示パネル２２０の一端に配置された反射部Ｍを含む。
【００６１】
表示パネル２２０には、第１映像Ｉ１、第２映像Ｉ２を各々表示する第１映像画素ＰＩＭ１、第２映像画素ＰＩＭ２が順に反復配列されており、視界生成部２３０と共に第１視界ＶＺ１、第２視界ＶＺ２を形成する。視界生成部２３０では、パララックスバリアやレンティキュラレンズが使用される。
【００６２】
第１映像Ｉ１、第２映像Ｉ２は、一つの映像を分割した部分映像で構成することができるが、例えば、一つの映像を２等分して左側、右側部分映像を得た後、左側部分映像は、第１映像Ｉ１に割り当てられて、右側部分映像は、第２映像Ｉ２に割り当てられる。
【００６３】
これによって、表示パネル２２０の第１映像画素ＰＩＭ１に表示される第１映像Ｉ１は、視界生成部２３０を通過して第１視界ＶＺ１を形成して、表示パネル２２０の第２映像画素ＰＩＭ２に表示される第２映像Ｉ２は、視界生成部２３０を通過して第２視界ＶＺ２を形成する。
【００６４】
第２視界ＶＺ２の方向には、表示パネル２２０と一定な角θを成して反射部Ｍが配置されているが、角θは、８０°ないし１００°範囲の値を有して、望ましくは、９０°の値を有する。また、反射部Ｍは、反射率の高い物質で形成されて、例えば、鏡を利用することができる。
【００６５】
従って、表示パネル２２０が表示した映像のうちの第１映像Ｉ１は、反射なしに直進して第１視界ＶＺ１に到逹する一方、第２映像Ｉ２は、第２視界ＶＺ２に到逹できずに反射部Ｍから反射して第１視界ＶＺ１に伝達する。
【００６６】
それによって、第１視界ＶＺ１に位置した使用者２４０は、第１映像Ｉ１、第２映像Ｉ２を全て見られるが、使用者２４０の立場で反射部Ｍから反射した第２映像Ｉ２は、反射部Ｍの裏手の表示パネル２２０の右側の延長線上に位置する仮想表示パネル２２０ａに第２映像Ｉ２が表示されていると認識する。
この時、仮想表示パネル２２０ａは、表示パネル２２０と実質的に同一な幅を有する。
【００６７】
従って、使用者２４０は、表示パネル２２０及び仮想表示パネル２２０ｂに各々表示された第１映像Ｉ１、第２映像Ｉ２を見ていると認識する。
【００６８】
前述したように、第１映像Ｉ１、第２映像Ｉ２を一つの映像を分割した部分映像で構成する場合、例えば、一つの映像を２等分して左側、右側部分映像を得た後、左側部分映像は、第１映像Ｉ１に割り当てて、右側部分映像は、第２映像Ｉ２に割り当てる場合、使用者２４０は、第１映像Ｉ１、第２映像Ｉ２を結合して一つの映像が表示パネル２２０と仮想表示パネル２２０ａを合わせた一つの拡大されたパネルに表示されていると認識する。
【００６９】
仮想表示パネル２２０ａは、表示パネル２２０と実質的に同一な幅を有するので、拡大されたパネルは、表示パネル２２０より実質的に２倍拡大された幅を有して、使用者２４０が第１視界ＶＺ１で見る時、横の方向に２倍拡大された映像を見ることになる。
【００７０】
従って、本発明の実施例２による映像表示装置では、表示パネル、視界生成部、反射部を利用して表示パネルの大きさより拡大された映像を表示することができる。
【００７１】
図７は、本発明の実施例２による映像表示装置を配置した例を示した斜視図である。
図７に示したように、本発明の実施例２による映像表示装置２１０は、表示パネル２２０が水平面に置かれて、反射部Ｍが表示パネル２２０に垂直に配置されている。
【００７２】
すなわち、図６に示したように、第１視界ＶＺ１が表示パネル２２０の正面から外れて位置するので、表示パネル２２０をテーブル等の水平面に置いて映像表示装置２１０を使用する場合、使用者は、自然に表示パネル２２０の正面から外れた所で表示パネル２２０を見ることになる。この時、第１及び第２映像は、一つの映像を上下に２等分して下側部分映像を第１映像に割り当てて、上側部分映像を第２映像に割り当てており、表示パネルで第１及び第２映像画素は、上下に順に反復配列されて、視界生成部２３０は、上下に分布される第１及び第２視界を生成する。
【００７３】
従って、使用者は、表示パネル２２０で直接伝達される第１映像Ｉ１と反射部Ｍから伝達される第２映像Ｉ２を合わせて自然に拡大された一つの映像として認識する。  
【実施例３】
【００７４】
図８は、本発明の実施例３による映像表示装置を上部から見た断面図である。
図８に示したように、本発明の実施例３による映像表示装置３１０は、表示パネル３２０、視界生成部３３０、第１反射部Ｍ１及び第２反射部Ｍ２を含む。
【００７５】
表示パネル２２０には、第１、第２、第３映像Ｉ１、Ｉ２、Ｉ３を各々表示する第１、第２、第３映像画素ＰＩＭ１、ＰＩＭ２、ＰＩＭ３が配列されるが、表示パネルを左右の第１及び第２領域に折半して第１領域には、第１映像画素ＰＩＭ１、第２映像画素ＰＩＭ２が順に反復配列されて、第２領域には、第１映像画素ＰＩＭ１、第３映像画素ＰＩＭ ３が順に反復配列される。
【００７６】
視界生成部３３０は、表示パネル３２０の正面に配置されるが、パララックスバリアまたはレンティキュラレンズが使用される。
【００７７】
表示パネル３２０と視界生成部３３０は、相互に異なる第１、第２、第３映像Ｉ１、Ｉ２、Ｉ３を相互に異なる視野角で表示する二つの第１視界ＶＺ１、第２視界ＶＺ２を形成するが、第１視界ＶＺ１は、表示パネル３２０の正面に配置されて、第２視界ＶＺ２は、第１視界ＶＺ１の左右側の第２視界ＶＺ２Ｌ、ＶＺ２Ｒに各々配置される。
【００７８】
この時、第１映像Ｉ１は、表示パネル３２０の全面に配列された第１映像画素ＰＩＭ１によって表示パネル３２０の正面に形成される第１視界ＶＺ１に表示されて、第２映像Ｉ２及び第３映像Ｉ３は、表示パネル３２０の左右側の半分に当たる第１及び第２領域に配列された第２映像画素ＰＩＭ２及び第３映像画素ＰＩＭ３によって第１視界の左右側の第２視界ＶＺ２Ｌ、ＶＺ２Ｒに各々表示される。
【００７９】
また、左右側の第２視界ＶＺ２Ｌ、ＶＺ２Ｒの方向には、表示パネル３２０と一定な角θを成して表示パネル３２０の両端に各々第１反射部Ｍ１及び第２反射部Ｍ２が配置される。この時、角θは、８０°ないし１００°範囲の値を有して、望ましくは、９０°の値を有する。さらに、第１反射部Ｍ１及び第２反射部Ｍ２は、反射率の高い物質で形成されて、例えば、鏡を利用することができる。
【００８０】
従って、表示パネル３２０が表示した映像のうちの第１映像Ｉ１は、反射なしに直進して第１視界ＶＺ１に到逹する一方、第２映像Ｉ２及び 第３映像Ｉ３は、各々の視界である左右側の第２視界ＶＺ２Ｌ、ＶＺ２Ｒに到逹できずに各々第１反射部Ｍ１及び第２反射部Ｍ２から反射され第１視界ＶＺ１に伝達する。
【００８１】
勿論、第３映像Ｉ３も左側の第２視界ＶＺ２Ｌに表示されるが、第１反射部Ｍ１の長さを適切に調節すると、第１視界ＶＺ１に反射されずにそのまま左側の第２視界ＶＺ２Ｌに到達されて、右側の第２視界ＶＺ２Ｒに表示される第２映像Ｉ２も第２反射部Ｍ２の長さを調節することによって第１視界ＶＺ１に反射されずにそのまま右側の第２視界ＶＺ２Ｒに到達される。従って、使用者３４０には、第２映像Ｉ２、第３映像Ｉ３の外側の不必要な第３映像Ｉ３及び第２映像Ｉ２が表示されない。
【００８２】
従って、第１視界ＶＺ１に位置した使用者３４０は、第１、第２、第３映像Ｉ１、Ｉ２、Ｉ３を全て見られるが、使用者３４０の立場では、第１反射部Ｍ１から反射された第２映像Ｉ２は、第１反射部Ｍ１の裏手の表示パネル３２０の左側の延長線上に位置する第１仮想表示パネル３２０ａに第２映像Ｉ２が表示されていると認識する。また、第２反射部Ｍ２から反射された第３映像Ｉ３は、第２反射部Ｍ２の裏手の表示パネル３２０の右側の延長線上に位置する第２仮想表示パネル３２０ｂに第３映像Ｉ３が表示されていると認識する。
【００８３】
第１仮想表示パネル３２０ａ及び第２仮想表示パネル３２０ｂ各々は、実質的に表示パネル３２０の幅の１/２に当たる幅を有する。
【００８４】
従って、使用者３４０は、第１仮想表示パネル３２０ａ、表示パネル３２０、第２仮想表示パネル３２０ｂに各々表示された第１、第２、第３映像Ｉ１、Ｉ２、Ｉ３を見ていると認識する。
【００８５】
この時、第１、第２、第３映像Ｉ１、Ｉ２、Ｉ３は、一つの映像を分割した部分映像で構成する場合、例えば、一つの映像を３等分して左側、中央、右側部分映像を得た後、中央部分映像は、第１映像Ｉ１に割り当てて、左側及び右側部分映像は、各々第２映像Ｉ２、第３映像Ｉ３に割り当てる。
【００８６】
ところで、実施例３の第１、第２、第３映像Ｉ１、Ｉ２、Ｉ３は、一つの映像を同一な大きさに区分したのではなく、第１映像Ｉ１を一つの映像の半分に当たる大きさに割り当てして、残りの第２映像Ｉ２、第３映像Ｉ３は、各々一つの映像の１/４に当たる大きさに割り当てする。
【００８７】
従って、使用者１４０が第１、第２、第３映像Ｉ１、Ｉ２、Ｉ３を結合して拡大されたパネルに表示される一つの映像として認識して、この時、第１仮想表示パネル３２０ａ及び第２仮想表示パネル３２０ｂは、各々表示パネル３２０の１/２に当たる幅を有するので、拡大されたパネルは、表示パネル３２０より実質的に２倍拡大された幅を有して、使用者３４０は、正面から見た時、横の方向に２倍拡大された映像を見ることになる。
【００８８】
図９は、本発明の実施例３による映像表示装置に表示される映像を使用者の立場で見た写真である。
図９に示したように、使用者は、第１、第２、第３映像Ｉ１、Ｉ２、Ｉ３を結合して一つの映像として認識する。
【００８９】
表示パネル(図８の３２０)が第１幅Ｗ１を有する場合、結合された一つの映像が有する第２幅Ｗ２は、第１幅Ｗ１の２倍(Ｗ２=２Ｗ１)に拡大されて、使用者は、拡大された映像を認識する。
【００９０】
従って、本発明の実施例３による映像表示装置では、表示パネル、視界生成部、第１及び第２反射部を利用して表示パネルの大きさより拡大された映像を表示することができる。
【００９１】
前述したように、本発明による映像表示装置の表示パネルとしては、平板表示装置ＦＰＤが使用されて、具体的に、液晶表示装置ＬＣＤ、電界発光表示装置ＦＥＤ、プラズマ映像表示装置ＰＤＰ、電気発光表示装置ＥＬ等が使用される。
【００９２】
特に、表示パネルがバックライトアセンブリと液晶表示パネルを含む透過型の液晶表示装置であって、視界生成部がファレルレックスバリアの場合、ファレルレックスバリアは、液晶表示パネルと使用者間に配置されて、または、バックライトアセンブリと液晶表示パネル間に配置される。
【００９３】
本発明は、前述した実施例に限られるのではなく、本発明の趣旨に反しない限度内で、多様に変更して実施できる。
【図面の簡単な説明】
【００９４】
【図１】一般のパララックスバリア方式の３次元映像表示装置の動作を説明するための平面図である。
【図２】一般のレンティキュラ方式の３次元映像表示装置の動作を説明するための平面図である。
【図３】本発明の実施例１による映像表示装置の表示パネル及び視界生成部の動作を説明するための平面図である。
【図４】本発明の実施例１による映像表示装置を上部から見た断面図である。
【図５】本発明の実施例１による映像表示装置に表示される映像を使用者の立場から見た写真である。
【図６】本発明の実施例２による映像表示装置を上部から見た断面図である。
【図７】本発明の実施例２による映像表示装置を応用配置した場合を示した斜視図である。
【図８】本発明の実施例３による映像表示装置を上部から見た断面図である。
【図９】本発明の実施例３による映像表示装置に表示される映像を使用者の立場から見た写真である。
【符号の説明】
【００９５】
１１０：映像表示装置            
１２０：表示パネル
１３０：視界生成部              
Ｍ１：第１反射部
Ｍ２：第２反射部                
Ｉ１：第１映像
Ｉ２：第２映像                  
Ｉ３：第３映像
ＶＺ１：第１視界                
ＶＺ２：第２視界
ＶＺ３：第３視界
【図１】
2008003553.tif 000003
【図２】
2008003553.tif 000004
【図３】
2008003553.tif 000005
【図４】
2008003553.tif 000006
【図６】
2008003553.tif 000007
【図７】
2008003553.tif 000008
【図８】
2008003553.tif 000009
【図５】
2008003553.tif 000010
【図９】
2008003553.tif 000011